(57)【要約】【課題】背景用カーテンなどの複数の背景提供手段により、優美な美観を有するバリエーション豊かな背景が得られる自動写真作成装置および自動写真作成方法を提供する。【解決手段】背景提供手段に１つであるドレープカーテン１０１は、着色された無地の薄い布であって、複数の襞が形成されるように所定部分が折り畳まれ縫製されており、右ドレープカーテン１０１ａおよび左ドレープカーテン１０１ｂからなる。これらのカーテンの下端部分は背景提供部１００の右側または左側の端部近傍に留められている。このことにより、これらのカーテンに付された複数の襞の全て（または大部分）が鉛直方向に延びることなく曲線状に撓むように形成され、ロールカーテン１０３によって提供される平面領域に対して、曲線状に撓んだ美しい襞を含む領域が撮像される背景に含まれるため、この組み合わせにより優美な美観を有するバリエーション豊かな背景を得ることができる。【選択図】図５
2005091661.tif 000002
【特許請求の範囲】
【請求項１】
所定の撮影領域における被写体である利用者を撮影する撮像手段と、前記撮影手段による撮影の際に閃光を放つことにより前記被写体を照明する照明手段と、前記撮影手段により得られる撮影画像を含む合成画像を写真として出力する出力手段とを備える自動写真作成装置であって、
前記撮影手段に対向して配置されることにより前記被写体の撮影時における背景を構成する平面を有する第１の背景提供手段と、
前記第１の背景提供手段よりも前記撮影手段に近い位置に配置されることにより前記被写体の撮影時における背景を構成するカーテンであって、複数の襞を有する第２の背景提供手段と、
前記撮影手段により撮影されるべき方向に対して左方向または右方向へ前記第２の背景提供手段を展開可能に支持する支持部材と
を備えることを特徴とする自動写真作成装置。
【請求項２】
前記第１および第２の背景提供手段の一方または双方は、複数設けられており、任意に選択された１つ以上が展開されることにより前記被写体の撮影時における背景を構成することを特徴とする、請求項１に記載の自動写真作成装置。
【請求項３】
前記第２の背景提供手段は、前記複数の襞が曲線状に撓むように、前記撮影手段に対して右側または左側の端部近傍に所定部分が留められることを特徴とする、請求項１または請求項２に記載の自動写真作成装置。
【請求項４】
前記第２の背景提供手段は、
前記撮影手段に向かって右側に設けられる右カーテンと、
前記撮影手段に向かって左側に設けられる左カーテンと
を含み、
前記支持部材は、前記右カーテンおよび前記左カーテンを互いに逆方向に駆動する駆動手段を含むことを特徴とする、請求項１から請求項３までのいずれか１項に記載の自動写真作成装置。
【請求項５】
前記第２の背景提供手段よりも前記撮影手段に近い位置に配置されており、前記第２の背景提供手段の前記襞に影ができるよう前記第２の背景提供手段を照明する補助照明手段をさらに備えることを特徴とする、請求項１から請求項４までのいずれか１項に記載の自動写真作成装置。
【請求項６】
所定の撮影領域における被写体である利用者を所定の撮影手段により撮影する撮像ステップと、前記撮影ステップにおける撮影の際に閃光を放つことにより前記被写体を照明する照明ステップと、前記撮影ステップにおいて得られる撮影画像を含む合成画像を写真として印刷する印刷ステップとを含む自動写真作成方法であって、
前記撮像ステップでは、前記撮影手段に対向して配置されることにより前記被写体の撮影時における背景を構成する平面を有する第１の背景提供手段と、当該第１の背景提供手段よりも前記撮影手段に近い位置に配置されることにより前記被写体の撮影時における背景を構成するカーテンであって複数の襞を有しており、前記撮影手段により撮影されるべき方向に対して左方向または右方向へ展開可能に支持する支持部材により支持される第２の背景提供手段とを前記被写体とともに撮影することを特徴とする自動写真作成方法。
【請求項７】
請求項６に記載の自動写真作成方法により写真として印刷されたことを特徴とする印刷媒体。
【発明の詳細な説明】
【技術分野】
【０００１】
本発明は、利用者をカメラで撮影し、その撮影画像に基づき生成される合成画像を写真として出力する自動写真作成装置に関する。
【背景技術】
【０００２】
従来より、利用者をカメラで撮影し、その撮影画像を写真として出力する遊戯用写真作成装置が知られている。このような遊戯用写真作成装置は、高い遊戯性または娯楽性が要求されることから、撮影画像と合成すべき画像を、利用者の嗜好に応じて、予め用意された多種多様な背景画像および前景画像から選択したり、タッチペンやライトペン等のペン型入力手段を用いて利用者が自由に描いたりできるように構成されているものが多い。
【０００３】
また、従来の遊技用写真作成装置では、利用者とともに実際に撮影される利用者の背景を利用者の嗜好に合わせて変更するために、利用者の背後に設けられる背景用カーテンの色や柄を利用者が自由に選択できるように構成されているものがある。
【０００４】
例えば、エンドレスベルト状のスクリーンをローラおよびモータで循環させることにより、背景用カーテンの色や柄を利用者が自由に選択できる映像プリント遊戯装置（特許文献１を参照）や、ロール状に巻かれた異なる色や柄が付された複数のスクリーンから１つを引き出すことにより、背景用カーテンの色や柄を利用者が自由に選択できる映像プリント遊戯装置（特許文献２を参照）などがある。これらの構成により、利用者の嗜好に合わせた背景選択を可能にして、遊技用写真作成装置の遊技性または娯楽性を高めることができる。
【特許文献１】特開２０００−２６７１６２号公報
【特許文献２】特開２０００−２６７１７９号公報
【発明の開示】
【発明が解決しようとする課題】
【０００５】
しかし、上記の背景用カーテンでは、１つのカーテンにより１つの背景が形成されるため、背景のバリエーションがカーテンの数に制限される。また、上記の背景用カーテンを複数組み合わせるとすれば、色や柄などのバリエーションを増やすことができるとしても、形状のバリエーションを増やすことはできない。ここで、形状が異なる背景用カーテンを複数組み合わせると、形状のバリエーションを増やすことができるが、さらに形状が異なる背景用カーテンを組み合わせることによる美観が得られることが好ましく、そのことにより遊技用写真作成装置の遊技性または娯楽性が高められる。
【０００６】
そこで本発明の目的は、背景用カーテンなどの複数の背景提供手段により、優美な美観を有するバリエーション豊かな背景が得られる自動写真作成装置および自動写真作成方法を提供することである。
【課題を解決するための手段】
【０００７】
第１の発明は、所定の撮影領域における被写体である利用者を撮影する撮像手段と、前記撮影手段による撮影の際に閃光を放つことにより前記被写体を照明する照明手段と、前記撮影手段により得られる撮影画像を含む合成画像を写真として出力する出力手段とを備える自動写真作成装置であって、
前記撮影手段に対向して配置されることにより前記被写体の撮影時における背景を構成する平面を有する第１の背景提供手段と、
前記第１の背景提供手段よりも前記撮影手段に近い位置に配置されることにより前記被写体の撮影時における背景を構成するカーテンであって、複数の襞を有する第２の背景提供手段と、
前記撮影手段により撮影されるべき方向に対して左方向または右方向へ前記第２の背景提供手段を展開可能に支持する支持部材と
を備えることを特徴とする。
【０００８】
第２の発明は、第１の発明において、
前記第１および第２の背景提供手段の一方または双方は、複数設けられており、任意に選択された１つ以上が展開されることにより前記被写体の撮影時における背景を構成することを特徴とする。
【０００９】
第３の発明は、第１または第２の発明において、
前記第２の背景提供手段は、前記複数の襞が曲線状に撓むように、前記撮影手段に対して右側または左側の端部近傍に所定部分が留められることを特徴とする。
【００１０】
第４の発明は、第１から第３までのいずれか１項に記載の発明において、
前記第２の背景提供手段は、
前記撮影手段に向かって右側に設けられる右カーテンと、
前記撮影手段に向かって左側に設けられる左カーテンと
を含み、
前記支持部材は、前記右カーテンおよび前記左カーテンを互いに逆方向に駆動する駆動手段を含むことを特徴とする。
【００１１】
第５の発明は、第１から第４までのいずれか１項に記載の発明において、
前記第２の背景提供手段よりも前記撮影手段に近い位置に配置されており、前記第２の背景提供手段の前記襞に影ができるよう前記第２の背景提供手段を照明する補助照明手段をさらに備えることを特徴とする。
【００１２】
第６の発明は、所定の撮影領域における被写体である利用者を所定の撮影手段により撮影する撮像ステップと、前記撮影ステップにおける撮影の際に閃光を放つことにより前記被写体を照明する照明ステップと、前記撮影ステップにおいて得られる撮影画像を含む合成画像を写真として印刷する印刷ステップとを含む自動写真作成方法であって、
前記撮像ステップでは、前記撮影手段に対向して配置されることにより前記被写体の撮影時における背景を構成する平面を有する第１の背景提供手段と、当該第１の背景提供手段よりも前記撮影手段に近い位置に配置されることにより前記被写体の撮影時における背景を構成するカーテンであって複数の襞を有しており、前記撮影手段により撮影されるべき方向に対して左方向または右方向へ展開可能に支持する支持部材により支持される第２の背景提供手段とを前記被写体とともに撮影することを特徴とする。
【００１３】
第７の発明は、第６の発明に記載の自動写真作成方法により写真として印刷されたことを特徴とする印刷媒体である。
【発明の効果】
【００１４】
上記第１の発明によれば、平板状の第１の背景提供手段により例えば風景などの主たる背景が提供されるとともに、これに対して複数の襞を有するカーテンである第２の背景提供手段により装飾が施されるため、平面の背景に装飾が施された優美な美観を有する背景が得られる。また、支持部材において第２の背景提供手段の展開の程度が適宜調整されるときには、その背景に占める面積が変更されるとともに襞の形状等も変化するため、バリエーション豊かな背景が得られる。
【００１５】
上記第２の発明によれば、第１および第２の背景提供手段の一方または双方が複数設けられて展開されるため、例えば第１の背景提供手段により提供される絵柄や色彩などがそれぞれ異なり、また、第２の背景提供手段により提供される形状がそれぞれ異なる場合には、これらのうちから適宜選択されたカーテンが展開されることにより、さらにバリエーション豊かな背景が得られる。
【００１６】
上記第３の発明によれば、第２の背景提供手段の所定部分が留められることにより、その複数の襞が曲線状に撓むので、第１の背景手段の平面領域の前に、曲線状に撓んだ美しい襞を含む領域が背景として含まれるため、平面の背景に装飾が施された優美な美観を有するバリエーション豊かな背景を得ることができる。
【００１７】
上記第４の発明によれば、右カーテンが右側に駆動されるとき左カーテンは逆方向である左側に駆動され、右カーテンが左側に駆動されるとき左カーテンは逆方向である右側に駆動されるので、これらのカーテンの展開状態が左右対称となる。そのため、対称性に基づく統一感のある美観を有し、かつ例えば劇場の幕のような優美な美観を有するバリエーション豊かな背景が得られる。
【００１８】
上記第５の発明によれば、第２の背景提供手段の襞に対して補助照明手段の照明により影が付けられるため、襞の立体感ないし第２の背景提供手段の質感が増すことになり、背景の美感が向上する。
【発明を実施するための最良の形態】
【００１９】
以下、本発明の一実施形態につき添付図面を参照して説明する。
＜１  全体構成＞
図１は、本発明の一実施形態に係る自動写真作成装置である遊戯用写真作成装置を側面から見た図であり、図２は、この遊戯用写真作成装置の本体部４を正面から（被写体としての利用者Ｕから見た）図である。以下、図１および図２を参照して、本実施形態に係る遊戯用写真作成装置の全体構成について説明する。
【００２０】
この遊戯用写真作成装置は、利用者Ｕが入る撮影室２と、利用者Ｕの撮影画像を含む合成画像を生成して写真シール（または写真カード）として出力する本体部４とを備えており、撮影室２内には利用者Ｕの背景を提供する背景提供部１００と、背景提供部１００を照明するための閃光を発する補助フラッシュ２００とが備えられている。
【００２１】
この背景提供部１００は、複数のロールカーテンおよび複数のドレープカーテンと、これらのカーテンを展開および格納するためのカーテン駆動部とを備えており、利用者Ｕの指示に応じてカーテンを適宜展開することにより所望の背景を提供する。この詳しい構成については後述する。
【００２２】
本体部４は、利用者Ｕを撮影する撮像手段としてのカメラ１０と、当該カメラ１０の上方の適宜の位置に配置され閃光を発する照明手段としてのフラッシュ１１と、当該カメラ１０の下方に配置されたＣＲＴ（Cathode Ray Tube）または液晶ディスプレイパネル等からなる表示装置であるプレビューモニタ２２と、撮影画像を表示し、利用者Ｕによる自由な作図（落書き）を行うための画面や、操作画面などを提供する液晶ディスプレイおよび当該操作画面を覆う操作位置検出用の透明シートからなる液晶タッチパネル２０と、液晶タッチパネル２０に対する操作に使用されるタッチペン２１と、これら下方の適宜の位置に配置され閃光を発する照明手段としてのフラッシュ１２とを備える。なお、図ではこのタッチペン２１は１つ備えられるが、２つ以上備えられてもよい。
【００２３】
カメラ１０は、典型的には、ＣＣＤ（電荷結合素子）を利用してデジタル画像信号を生成するデジタルカメラであって、撮影室２の床面上に存在する利用者Ｕおよびその背後に設けられた背景提供部１００を撮影し、その撮影画像を表す画像信号を出力する。プレビューモニタ２２は、上記画像信号の表す画像をリアルタイムで表示するように構成されており、カメラ１０によって得られる撮影画像を確認するために使用される。液晶タッチパネル２０は、背景提供部１００により提供されるべき背景（具体的には後述するドレープカーテンおよびロールカーテン）を指定するための操作手段や、落書きを行うための操作手段などとして機能する。
【００２４】
また本体部４は、コンピュータを中心に構成され各部の制御や後述する画像合成等の画像処理を行う主制御装置およびＩ／Ｏ制御装置や、カメラ１０により得られる撮影画像を含む合成画像を写真シール（または写真カード）として出力するプリンタ等を内蔵している。さらに、本体部４は、前面下方にコイン投入口２６を、側面に写真シールの取出口２８を、それぞれ備えている。さらにまた、本体部４は、本遊戯用写真作成装置の動作中は常時点灯される照明装置１３Ｌ，１３Ｒをカメラ１０の左右にそれぞれ備えている。
【００２５】
＜２  機能的構成＞
図３は、本実施形態に係る遊戯用写真作成装置の要部を機能面から見た構成を示すブロック図である。この遊戯用写真作成装置は、機能的には、撮像部５２と、確認表示部５４と、メイン表示・操作部６２と、背景駆動部６４と、出力部６６と、照明部７０と、Ｉ／Ｏ制御部７２と、主制御部８０とから構成される。
【００２６】
この構成において、撮像部５２は、ＣＣＤ等の撮像素子を用いて構成されるカメラ１０に相当し、リアルタイムに画像を取り込んで当該画像（この画像は「スルー画像」と呼ばれることがあるが、以下では「モニタ用撮影画像」というものとする）を表す画像信号を出力する。この画像信号は主制御部８０に入力されて、その内部のメモリにモニタ用画像データとして一時的に記憶される。また、このモニタ用画像データは、モニタ用画像信号として主制御部８０から確認表示部５４に供給される。確認表示部５４は、プレビューモニタ２２に相当し、そのモニタ用画像信号に基づきモニタ用撮影画像をリアルタイムで表示する。
【００２７】
メイン表示・操作部６２は、液晶タッチパネル２０に相当し、背景提供部１００により提供されるべき背景（具体的には後述するドレープカーテンおよびロールカーテン）を指定する利用者Ｕの操作、落書き処理に関連する利用者Ｕの操作や、シャッター操作、プリント出力のための操作等を受け付け、これらの操作を示す信号は、操作信号として主制御部８０に入力される。いま、利用者Ｕの撮影のためにシャッターボタン（不図示）が押下されたとすると、主制御部８０からの指示に基づき、数秒程度の予め決められた時間の経過後にカメラ１０の撮影方向にフラッシュ１１，１２および補助フラッシュ２００から閃光が放たれる。そのとき、利用者Ｕ（および背景提供部１００）の撮影画像を表す信号として撮像部５２から出力される画像信号が主制御部８０に入力され、主制御部８０内のメモリまたは補助記憶装置としてのハードディスク装置等に撮影画像データとして格納される。出力部６６は、本体部４に内蔵されるプリンタに相当し、主制御部８０からの指示に基づき、この撮影画像データの表す画像を写真シール（または写真カード）として出力する。
【００２８】
背景駆動部６４は、本体部４における背景提供部１００に含まれるカーテン駆動部に相当し、主制御部８０から与えられる制御信号に基づき、背景となるべきカーテンを展開する。この詳しい動作については後述する。
【００２９】
照明部７０は、本体部４における照明装置１３Ｌ，１３Ｒとフラッシュ１１，１２と補助フラッシュ２００とに相当し、主制御部８０からの指示に基づきＩ／Ｏ制御部７２によって点灯／消灯および調光が制御される。
【００３０】
Ｉ／Ｏ制御部７２は、本体部４に内蔵されるＩ／Ｏ制御装置に相当し、主制御部８０からの指示に基づき、照明部７０を制御すると共に、後述のコイン検出部（不図示）からの検出信号等の入力信号を主制御部８０へ転送する。
【００３１】
主制御部８０は、本体部４に内蔵され、ＣＰＵ（Central Processing Unit ）や、メモリ、フレームバッファ、タイマー、補助記憶装置などを含むコンピュータを中心に構成される主制御装置に相当し、内部メモリに格納された所定プログラムをＣＰＵが実行することにより、上述のようにして入力される操作信号に基づき各部を制御するために、上述のように各部に指示を出す。また、撮像された画像に対する落書き処理を行うための操作信号に基づき上記の撮影画像データの一部を書き換えることにより、当該合成画像に所定画像を描画した画像である合成画像を生成する。生成された合成画像はメイン表示・操作部６２に表示される。上記のような画像合成が終了すると、その後、出力部６６からは合成画像が写真シール等として出力される。出力された写真シール等は、本体部４の側面に設けられた取出口２８から取り出される。
【００３２】
上記の構成要素の他、本体部４におけるコイン投入口２６に投入されたコインを検出するためのコイン検出部（不図示）が更に本体部４に設けられており、主制御部８０は、コイン検出部での検出結果に基づき、利用者Ｕに所定時間だけ撮影や撮影画像に対する描画等による合成画像の生成など、本遊戯用写真作成装置によるプレイを許容するように各部を制御する。このコイン検出部やその検出結果に基づく主制御部８０による制御動作は、従来の遊戯用写真作成装置と同様であって周知であるので、その詳しい説明を省略する。
【００３３】
＜３  背景提供部の具体的構成＞
図４は、本発明の一実施形態における背景提供部１００を側面から見た例を示す模式図であり、図５は、当該背景提供部１００をカメラ１０（または利用者Ｕ）から見た一例を示す模式図であり、図６は、当該背景提供部１００をカメラ１０（または利用者Ｕ）から見た別例を示す模式図である。これらの図を参照して、以下、本実施形態に係る背景提供部１００の構成について説明する。
【００３４】
本背景提供部１００は、複数の襞を有するドレープカーテン１０１，１０２と、これらのドレープカーテンをカメラ１０に向かって左方向または右方向へ動かすドレープカーテン駆動部１２０と、襞のない平板状すなわち平面のロールカーテン１０３，１０４と、これらのロールカーテンを上方へ巻き取りまたは下方へ下ろすロールカーテン駆動部１１０とを備える。なお、ドレープカーテン１０１，１０２とロールカーテン１０３，１０４とは、撮影方向に垂直な平面に対して略平行に展開することができる配置となっている。また、この背景提供部１００は、図示されるロールカーテン１０３，１０４のほか、上方に巻き取られたロールカーテンをさらに２枚備えるが、ここでは図示されるようにロールカーテン１０３，１０４のみが下方に下ろされている。
【００３５】
ドレープカーテン１０１，１０２は、所定の色（例えば赤）に着色された無地の薄い布であって、複数の襞が形成されるように所定部分が折り畳まれ縫製されている。図５に示されるように、ドレープカーテン１０１は、カメラ１０に向かって右側の右ドレープカーテン１０１ａおよび左側の左ドレープカーテン１０１ｂからなり、右ドレープカーテン１０１ａの下端部分は背景提供部１００の右側の端部近傍に留められ、左ドレープカーテン１０１ｂの下端部分は背景提供部１００の左側の端部近傍に留められている。このことにより、これらのカーテンに付された複数の襞の全て（または大部分）が鉛直方向に延びることなく曲線状に撓むように形成される。なお、図５に示す例では、ドレープカーテン１０２は、ドレープカーテン１０１の裏側（背後）に位置するためカメラ１０からは見えない。同様に、ロールカーテン１０４も、ロールカーテン１０３の裏側（背後）に位置するためカメラ１０からは見えない。
【００３６】
また、図６に示されるように、ドレープカーテン１０２は、ドレープカーテン１０１と同様に右ドレープカーテン１０２ａおよび左ドレープカーテン１０２ｂからなり、これらのカーテンの下端部分は背景提供部１００の右側または左側の端部近傍に留められている。このことにより、これらのカーテンに付された複数の襞の全て（または大部分）が曲線状に撓むことになる。もっとも、これら右ドレープカーテン１０２ａおよび左ドレープカーテン１０２ｂは、図５に示す右ドレープカーテン１０１ａおよび左ドレープカーテン１０１ｂと異なり、上記背景提供部１００の端部に留められている部分とは反対側の辺の中央よりやや上方の所定部分が上方へつり上げられるように留められているため、図５に示すカーテンとは異なる形状（特に襞の撓み方が異なる形状）を呈している。なお、図６に示す例では、ドレープカーテン１０１は、ドレープカーテン駆動部１２０により背景提供部１００の内部（すなわちカメラ１０から見えない所定の格納位置）に移動しているものとする。
【００３７】
以上のようなドレープカーテン１０１，１０２により、ロールカーテン１０３，１０４によって展開される平板状の領域に、曲線状に撓んだ美しい襞を含む領域がそれぞれ背景として含まれるため、形状の組み合わせに優美な美観を有するバリエーション豊かな背景を得ることができる。
【００３８】
ドレープカーテン駆動部１２０は、背景提供部１００の上部に設けられており、内蔵される電動モータと所定の直線軌道部とによりドレープカーテン１０１，１０２を展開しまたは格納する。この直線軌道部は、左右に架け渡された直線のカーテンレールと、このカーテンレールに沿って左右に移動するランナ１２１，１２２と、電動モータの回転に応じてランナ１２１，１２２を左右に駆動するベルト（または例えばボールねじ）とを含む。
【００３９】
図５を参照すると、右ドレープカーテン１０１ａの左側上端はランナ１２１ａに留められ、左ドレープカーテン１０１ｂの右側上端はランナ１２１ｂに留められており、これらのカーテンは展開された状態となっている。なお、これらのカーテンの上端部分の数カ所は、通常のカーテンと同様に、上記カーテンレールを自由に移動可能なその他のランナに留められているものとする。ここで、ランナ１２１ａがドレープカーテン駆動部１２０に含まれるカーテンレールの右端位置まで駆動され、同時にランナ１２１ｂがカーテンレールの左端位置まで駆動されると、これらの右ドレープカーテン１０１ａおよび左ドレープカーテン１０１ｂは格納される。
【００４０】
また図６を参照すると、上記と同様にドレープカーテン１０２ａ，１０２ｂの上端はランナ１２２ａ，１２２ｂに留められており、これらのカーテンは展開された状態となっている。このとき、ドレープカーテン１０２ａ，１０２ｂは格納されているためカメラ１０からは見えない。ここで、ランナ１２２ａがカーテンレールの右端位置まで駆動され、同時にランナ１２１ｂが反対方向の左端位置まで駆動されると、ドレープカーテン１０２ａ，１０２ｂは格納される。
【００４１】
このように右ドレープカーテン１０１ａ，１０２ａと、左ドレープカーテン１０１ｂ，１０２ｂとは、展開されるときには内側方向（図の中央方向）に駆動され、格納されるときには外側方向（図の左右方向）に駆動されるので、常に逆方向に駆動されることになる。したがって、これらのカーテンの展開状態は必ず左右対称となるため、対称性に基づく統一性のある美観であって、劇場の幕のような優美な美観を有するバリエーション豊かな背景が得られる。
【００４２】
ロールカーテン１０３，１０４は、典型的には異なる風景や模様などが描かれまたは異なる色彩が付された薄い平板状のシートである。図５または図６に示される例では、カメラ１０からはロールカーテン１０３のみが見えており、ロールカーテン１０４はロールカーテン１０３の裏側にあるためカメラ１０から見えない位置にある。また、ロールカーテン１０３は、ドレープカーテン１０１または１０２の裏側にあるためその一部分がカメラ１０から見えないが、その部分は比較的小さいためロールカーテン１０３は撮影されるべき背景のうち大きな領域を占めている。
【００４３】
図４を参照すると、ロールカーテン駆動部１１０は、背景提供部１００の上部に設けられており、内蔵される電動モータによりロールカーテン１０３，１０４、およびその他２つのロールカーテンを上方へ巻き取りまたは下方へ下ろす。すなわち、これらのカーテンは、ロールカーテン駆動部１１０近傍でカメラ１０に向かって左右方向に沿って配置される棒状の軸を中心として図では時計回りにロール状に巻かれており、ロールカーテン駆動部１１０は、制御装置内のコンピュータ（の主制御部８０）からの制御信号に基づき、任意のカーテンの中心軸を時計回りに回転させることにより当該カーテンを巻き上げまたは反時計回りに回転させることにより当該カーテンを下ろすように、内蔵される電動モータを駆動する。
【００４４】
補助フラッシュ２００は、無色（白色）の閃光を発する２つのフラッシュ装置２００ａ，２００ｂと、これらのフラッシュ装置の発する閃光が所定の方向以外に広がらないようにするために、上記方向へ延びるように組み合わされた格子形状の仕切板（遮光板）とを含んでおり、制御装置内のコンピュータ（の主制御部８０）からの制御信号に基づき、ドレープカーテン１０１，１０２が展開されている方向へ閃光を発する。なお、展開されているロールカーテン１０３，１０４の一部または全部もこの閃光に照らされることになる。この補助フラッシュ２００は、ドレープカーテン１０１，１０２の襞が延びている方向に対して完全に平行とはならない方向（理想的には垂直に近い方向）に閃光を発するため、当該襞の影をはっきりと出すことができる。そのため、襞の立体感ないしドレープカーテンの質感が増すことになり、背景の美感が向上する。
【００４５】
なお、補助フラッシュ２００は、襞の立体感やドレープカーテンの質感を向上させるような照明を行う装置であればフラッシュ装置以外の照明装置であってもよいし、その設置数や設置位置なども特に限定されない。例えば、補助フラッシュ２００に含まれる２つのフラッシュ装置２００ａ，２００ｂは、ドレープカーテンの近傍であって撮影室２の床面や天井面などに設置されてもよい。
【００４６】
＜４  効果＞
本発明の一実施形態では、曲線状に撓んだ複数の襞を有するドレープカーテン１０１，１０２と、襞のない平板状のロールカーテン１０３，１０４とを撮影方向に垂直な平面と平行にそれぞれ展開可能な構成である。この構成によれば、平板状のロールカーテン１０３，１０４により主たる背景（例えば風景など）が提供されるとともに、この主たる背景に対してドレープカーテン１０１，１０２により劇場の幕のような美しくロマンティックな装飾が施されるため、優美な美観を有するバリエーション豊かな背景が得られる。また、ドレープカーテン１０１，１０２およびロールカーテン１０３，１０４の一方または双方の１つ以上のカーテンの展開の程度が適宜調整されるときには、その背景に占める面積が変更されるとともに、ドレープカーテン１０１，１０２の展開の程度が調整されるときにはその襞の形状等も変化するため、非常にバリエーション豊かな背景が得られる。さらに、ドレープカーテン１０１とドレープカーテン１０２とではその形状が異なり、ロールカーテン１０３とロールカーテン１０４とではその絵柄や色彩などが異なるため、これらのうちから適宜選択されたカーテンが展開されることにより、さらにバリエーション豊かな背景が得られる。
【００４７】
＜５  変形例＞
上記一実施形態では、ドレープカーテン１０１，１０２は、着色された無地の薄い布であるが、複数の襞を形成することができるものであればその素材には特に限定はなく、例えばレースのカーテンなどであってもよい。また、これらのカーテンには異なるデザインの図柄（例えば複数の星の形やハートの形など）や模様などが描かれていてもよい。さらに、ドレープカーテンは１枚以上であれば数には限定はなく、また複数の襞を有しており平面の背景と組み合わせることにより優美な美観を提供することができるものであればその形状に限定はない。例えば、ドレープカーテン１０１に代えて、図７に示すような形状を有するドレープカーテンが備えられてもよい。図７は、ドレープカーテンの別例を示す図である。図７に示すように、このドレープカーテン５０１は、右ドレープカーテン５０１ａおよび左ドレープカーテン５０１ｂからなるが、ドレープカーテン１０１よりも鉛直方向の長さが長く、かつ右ドレープカーテン５０１ａの中央よりやや下の所定部分は背景提供部１００の右側の端部近傍に、リング状の布または紐であるタッセル５１１ａによりまとめられ（留められ）ており、左ドレープカーテン５０１ｂの中央よりやや下の所定部分は背景提供部１００の左側の端部近傍にタッセル５１１ｂにより留められている。このように、主たる背景を提供するロールカーテン１０３に対して、ドレープカーテン５０１によって劇場の幕のような美しい装飾が施されることにより、優美な美観を有するバリエーション豊かな背景が得られる。
【００４８】
上記一実施形態では、ドレープカーテン駆動部１２０は、利用者Ｕの指示に応じてドレープカーテン１０１，１０２を展開状態または収納状態となるように駆動するが、さらに展開の程度（すなわち展開時における背景に占める面積）が利用者の嗜好などに応じて適宜調整されてもよい。すなわち、ドレープカーテン駆動部１２０は、例えば図６または図７の状態よりも展開の程度がやや小さい状態になるようにランナ１２１ａ，１２２ａを図示される位置よりもやや右側に位置するように駆動するとともに、ランナ１２１ｂ，１２２ｂを図示される位置よりもやや左側に位置するように駆動してもよいし、展開の程度がやや大きい状態になるようにそれぞれを上記とは逆の方向へ駆動してもよい。そうすればドレープカーテンの展開の程度が適宜調整されるため、背景に占める面積が変更されるとともに、襞の形状等も変化するため、バリエーション豊かな背景が得られる。また、例えばドレープカーテン１０１の展開の程度を小さくするとともにドレープカーテン１０２の展開の程度を大きくすれば、ドレープカーテン１０１の全部とともに、その裏側に隠れていないドレープカーテン１０２の一部を含む背景が得られるため、さらに背景のバリエーションを増加させることができる。
【００４９】
また同様に、上記一実施形態では、ロールカーテン駆動部１１０は、ロールカーテン１０３，１０４、およびその他２つのロールカーテンを収納状態となるように上方へ巻き取る駆動を行い、または展開状態となるように下方へ下ろす駆動を行うが、この展開の程度も利用者の嗜好などに応じて適宜調整されてもよい。例えば、ロールカーテン１０３の展開の程度を小さくするとともにロールカーテン１０４の展開の程度を大きくすれば、ドレープカーテン１０１，１０２に隠れていないロールカーテン１０３の大部分とともに、その裏側に隠れていないロールカーテン１０４の一部を含む背景が得られるため、さらに背景のバリエーションを増加させることができる。
【００５０】
上記一実施形態では、ロールカーテン駆動部１１０により、ロールカーテン１０３，１０４等を上下方向へ駆動するが、必ずしもこのような電動ロールカーテンである必要はなく、左右方向に駆動する電動カーテンであってもよい。また、ロールカーテン１０３，１０４等は、複数のカーテンに対応する複数の面が連続する一枚のカーテンにより構成されるベルト状のカーテンであってもよい。また、ロールカーテン１０３，１０４等に代えて、剛性の素材（例えばアクリル板）からなる背景提供部が備えられ、利用者Ｕの指示に応じて適宜背景となるように展開されるものであってもよい。さらに、ロールカーテン１０３，１０４等に代えて、撮影室２の（利用者Ｕの背後側の）壁面により平面の背景が提供されてもよい。
【図面の簡単な説明】
【００５１】
【図１】本発明の一実施形態に係る遊戯用写真作成装置の側面図である。
【図２】一実施形態に係る遊戯用写真作成装置の本体部を示す正面図である。
【図３】一実施形態に係る遊戯用写真作成装置の要部を機能面から見た構成を示すブロック図である。
【図４】一実施形態における背景提供部を側面から見た例を示す模式図である。
【図５】一実施形態における背景提供部をカメラ（または利用者）から見た一例を示す模式図である。
【図６】一実施形態における背景提供部をカメラ（または利用者）から見た別例を示す模式図である。
【図７】一実施形態におけるドレープカーテンの別例を示す図である。
【符号の説明】
【００５２】
２    …撮影室
４    …本体部
１０  …カメラ
１１，１２…フラッシュ
２０  …液晶タッチパネル
２１  …タッチペン
５２  …撮像部（カメラ）
５４  …確認表示部（プレビューモニタ）
６２  …操作部（液晶タッチパネル）
６４  …背景駆動部（電動モータ）
６６  …出力部（プリンタ）
７０  …照明部
７２  …Ｉ／Ｏ制御部（Ｉ／Ｏ制御装置）
８０  …主制御部（主制御装置）
１００…背景提供部
１０１，１０２，５０１…ドレープカーテン
１０３，１０４…ロールカーテン
１１０…ロールカーテン駆動部
１２０…ドレープカーテン駆動部
１２１ａ，１２１ｂ，１２２ａ，１２１ｂ…ランナ
２００…補助フラッシュ
Ｕ    …利用者
【図１】
2005091661.tif 000003
【図２】
2005091661.tif 000004
【図３】
2005091661.tif 000005
【図４】
2005091661.tif 000006
【図５】
2005091661.tif 000007
【図６】
2005091661.tif 000008
【図７】
2005091661.tif 000009